【手続補正書】
【提出日】平成26年2月6日(2014.2.6)
【手続補正１】
【補正対象書類名】明細書
【補正対象項目名】００２０
【補正方法】変更
【補正の内容】
【００２０】
図２には、サーバ装置１のハードウェア構成が示される。サーバ装置１は、サーバ装置１全体の制御をするためのＣＰＵ（Central  Processing  Unit）３０１、予めプログラムやデータが格納されるＲＯＭ（Read  Only  Memory）３０２、各種データを格納するＲＡＭ（Random  Access  Memory）３０３、タイマ３０４、ハードディスク３０６、通信路５２とサーバ装置１を接続するための通信Ｉ／Ｆ（Interface）３０７、出力部１６および入力部１７を含む。出力部１６は、表示部、印刷部、音声出力部などを含む。入力部は、キーボード、マウスなどのポインティングデバイスなどを含む。
【手続補正２】
【補正対象書類名】明細書
【補正対象項目名】００４６
【補正方法】変更
【補正の内容】
【００４６】
本実施の形態では、ゾーン計算部５１３は、減量の成功事例のデータを用いて、下限ライン２４１Ｌの式を算出し、下限ライン２４１Ｌの式を用いて上限ライン２４２Ｌの式を算出する。なお、図１０の目標ライン２４３Ｌは、目標体重の直線式を指す。
【手続補正３】
【補正対象書類名】明細書
【補正対象項目名】００４８
【補正方法】変更
【補正の内容】
【００４８】
ここで、係数ｂは、実験により、目標減量率による減量成功事例の朝体重データをサンプリングし、サンプリングデータから導出し係数である。
【手続補正４】
【補正対象書類名】明細書
【補正対象項目名】００４９
【補正方法】変更
【補正の内容】
【００４９】
なお、“目標減量率”＝（（開始時体重６０７−目標体重６０８）／開始時体重６０７）×１００により算出される。本実施の形態では、ユーザが目標体重６０８を設定する場合には、０％≦目標減量率＜４％となるようにアドバイスされる。したがって、過度の減量となるのを防止する。
【手続補正５】
【補正対象書類名】明細書
【補正対象項目名】００６３
【補正方法】変更
【補正の内容】
【００６３】
＜メッセージ情報の生成＞
メッセージ生成部５１６は、メッセージロジックテーブル９００を参照し、登録される各条件組９０１が成立するか否かを判定し、成立すると判定した条件組９０１についてメッセージデータを、メッセージロジックテーブル９００から読出す。
【手続補正６】
【補正対象書類名】明細書
【補正対象項目名】００６５
【補正方法】変更
【補正の内容】
【００６５】
条件１が成立したと判定されると、条件２（本日がダイエット開始日から１２日目、１９日目、および２６日目のいずれに該当するか）を判定し、条件３（最新の測定体重と目標ゾーンとの位置関係（目標ゾーン内、上限値超え、および下限値未満のいずれに該当するか））を判定し、条件４（本日が減量リズム８０３の“ぴかぴか期”、“まったり期”の前後の期間などのいずれに該当するか）を判定し、および条件５（測定消費カロリーデータ７０３の１週間分の平均値と目標消費カロリー６０９との差から、平均値が目標をどれだけ達成しているかを示す達成度）を判定する。これら条件１〜５の判定結果と、対応のメッセージデータから表示するべきメッセージ情報を所定手順に従って生成する。
【手続補正７】
【補正対象書類名】明細書
【補正対象項目名】００６７
【補正方法】変更
【補正の内容】
【００６７】
＜システムの処理＞
図１１と図１２に、本発明の実施の形態における健康管理支援システムの処理フローチャートを示す。図１１では、体重・体組成計３４または活動量計３３から測定データを、スマートホン２３か情報端末を介してサーバ装置１に送信するフローと、サーバ装置１が測定データを処理し、その処理結果をスマートホン２３に送信し出力させるフローとを示している。図１２には、スマートホン２３におけるサーバ装置１からの受信情報を出力する処理フローチャートが示される。図１３には、通信データパケットの一例が示される。図１４〜図２５には、スマートホンにおいて表示される画面例が示される。
【手続補正８】
【補正対象書類名】明細書
【補正対象項目名】００６９
【補正方法】変更
【補正の内容】
【００６９】
ここでは、制御部５０１は、公知の式（標準体重×基礎代謝基準値×身体活動レベル）に従って算出した消費カロリー（第１消費カロリーと称する）に、目標体重６０８を用いて算出した消費カロリー（第２消費カロリーと称する）を加算することにより、目標消費カロリー６０９を算出する。
【手続補正９】
【補正対象書類名】明細書
【補正対象項目名】００８９
【補正方法】変更
【補正の内容】
【００８９】
図１２には、スマートホン２３側の処理が示される。図１４〜図２５には、図１２の処理においてスマートホン２３のディスプレイ２０５に表示される画面例が示される。
【手続補正１０】
【補正対象書類名】明細書
【補正対象項目名】００９１
【補正方法】変更
【補正の内容】
【００９１】
図１６と図１７には、目標体重と目標総消費カロリーを設定するための画面例が示される。図１６では、ユーザが目標体重のデータ１１０を入力すると、サーバ装置１の制御部５０１は目標消費カロリー６０９を算出し、スマートホン２３に送信し、ディスプレイ２０５にデータ１１１を表示する。
【手続補正１１】
【補正対象書類名】明細書
【補正対象項目名】００９６
【補正方法】変更
【補正の内容】
【００９６】
目標を設定した後に、ユーザが、所定ホームページからログインすると（ステップＳ３０５）、ログイン時には、記憶部２３９からＩＤデータ２４０が読出されて、読出されたＩＤデータ２４０を含むログイン要求がサーバ装置１に対して送信される。
【手続補正１２】
【補正対象書類名】明細書
【補正対象項目名】０１０６
【補正方法】変更
【補正の内容】
【０１０６】
また、横軸の測定日に関連付けて減量リズムデータ９９４に基づく“まったり期”と“ぴかぴか期”が区別して表示される。ここでは、測定期間のうち“まったり期”と“ぴかぴか期”とは異なる態様で表示される。図中では、たとえば“まったり期”は、斜線１７２のように“ぴかぴか期”とは異なる色で表示される。また、横軸には、達成情報９９６の達成日群８０８が指す各日付けに関連付けて、アイコン１７３Ｃが表示される。
【手続補正１３】
【補正対象書類名】明細書
【補正対象項目名】０１０８
【補正方法】変更
【補正の内容】
【０１０８】
図２０の画面において、ユーザがタッチパネル２１０を操作して、所望日付を指定する操作をすると、グラフ表示部２３６は、指定された日付けをアイコン１７４Ｃで指し、且つその日の朝体重および晩体重をグラフデータ９９２から取得し、吹き出し１７５および１７６により表示する。吹き出し１７５および１７６はグラフに重ならない位置に表示される。吹き出し１７５内には、晩体重とともに“晩”マーク１７５１Ｃが表示され、吹き出し１７６内には、朝体重とともに“朝”マーク１７６１Ｃが表示される。また、吹き出し１７５内には、晩体重と朝体重の差分である昼間増加値が表示され、吹き出し１７６内には、夜間減少体重の値が表示される。
【手続補正１４】
【補正対象書類名】明細書
【補正対象項目名】０１１０
【補正方法】変更
【補正の内容】
【０１１０】
また、本実施の形態では、グラフの表示態様を切替えることができる。具体的には、ディスプレイ２０５の表示領域は長方形状であるために、グラフの縦軸を長手方向に延びるようにとると、短手方向に横軸が延びるので、表示できる折れ線グラフは図２０のように、比較的に短い測定期間のグラフとなる。そこで、ユーザが図２０の画面のアイコン１７７Ｃを操作すると、当該操作に応じて、グラフ表示部２３６の切替え部２３７は、図２０の画面を図２１の画面に切替え表示する。図２１の画面では、図２０のグラフの縦軸を短手方向に延びるようにとり、横軸を長手方向にとるように表示する。これにより、図２０よりも長い測定期間のグラフを表示することができる。
【手続補正１５】
【補正対象書類名】明細書
【補正対象項目名】０１２６
【補正方法】変更
【補正の内容】
【０１２６】
（他の実施の形態）
上述したスマートホン２３の表示制御方法は、プログラムとして提供することもできる。このようなプログラムは、コンピュータに付属するフレキシブルディスク、ＣＤ−ＲＯＭ（Compact  Disc  Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。たとえば、図３の構成では、ＣＰＵ２０１を備えてコンピュータの機能を有するスマートホン２３には、記録媒体４１０を用いて当該プログラムを供給することができる。ＣＰＵ２０１は、ドライブ装置２０８を介して記録媒体４１０に格納されたプログラムを読出し、実行する。また、プログラムは、通信路５２を経由して外部装置からダウンロードされるものであってもよい。ＣＰＵ２０１は、ダウンロードされたＲＡＭ２０３などに格納されたプログラムを読出し、実行する。
【手続補正１６】
【補正対象書類名】図面
【補正対象項目名】図１０
【補正方法】変更
【補正の内容】
【図１０】
2013109718.tif 000001
【手続補正１７】
【補正対象書類名】図面
【補正対象項目名】図１５
【補正方法】変更
【補正の内容】
【図１５】
2013109718.tif 000002
【手続補正１８】
【補正対象書類名】図面
【補正対象項目名】図１７
【補正方法】変更
【補正の内容】
【図１７】
2013109718.tif 000003